(57)【要約】【課題】メインフレームとスタンドフレームを分離して特定の部材に荷重が集中するのを防ぐと共に、これにより部材の断面サイズを大きくする必要をなくして、部材コストを低減させる。また、メインフレームとスタンドフレームが分離しつつも、屋内空間を狭められることのないアリーナを提供する。【解決手段】メインフレーム４は、壁部Ｗ近傍において基礎５４に接合し、鉛直方向に立設する一対の立設部４２を有し、スタンドフレーム３１は、壁部Ｗ近傍において基礎５３に接合し、フィールド部２側に向かって斜め上方へ立設する立設部３１３を有する。メインフレーム４は複数、一定間隔ごとに配設されており、隣り合う立設部４２が基礎５４に接合する箇所の間において、スタンドフレーム３１の立設部３１３が基礎５３に接合し、メインフレーム４が配設されている方向に一列に立設部４２と立設部３１３が基礎５４、５３に接合している。【選択図】図２
2019214839.tif 000002
【特許請求の範囲】
【請求項１】
フィールド部と、当該フィールド部を囲むスタンド席と、当該フィールド部及び当該スタンド席を側面から覆う壁部と、当該フィールド部及び当該スタンド席の上方を覆う屋根板と、を備えたアリーナであって、
上記屋根板を支持し、一対の下端部が基礎に接合すメインフレームと、
上記スタンド席を構成し、客席を支持すると共に、下端部が基礎に接合するスタンドフレームと、を有し、
上記メインフレームは、
上記壁部近傍において上記基礎に接合し、鉛直方向に立設する一対の第一立設部と、
上記一対の立設部の上端に架設された架設部と、から構成され、
上記スタンドフレームは少なくとも、
上記壁部近傍において上記基礎に接合し、上記フィールド部側に向かって斜め上方へ立設する第二立設部と、
上記第二立設部によって支持された客席と、から構成され、
上記メインフレームは複数、一定間隔ごとに配設されており、
隣り合う上記第一立設部が基礎に接合する箇所の間において、上記スタンドフレームの第二立設部が基礎に接合し、上記メインフレームが配設されている方向に一列に上記第一立設部と上記第二立設部が基礎に接合している、
アリーナ。
【請求項２】
上記第二立設部の上端には、上記第二立設部に直行する向きであって、上記複数のメインフレームが配設されている方向に沿って架設された梁が連結している、
請求項１記載のアリーナ。
【請求項３】
フィールド部と、当該フィールド部を囲むスタンド席と、当該フィールド部及び当該スタンド席を側面から覆う壁部と、当該フィールド部及び当該スタンド席の上方を覆う屋根板と、を備えると共に、
上記壁部近傍において上記基礎に接合し、鉛直方向に立設する一対の第一立設部と、上記一対の立設部の上端に架設された架設部と、から構成され、上記屋根板を支持し、一対の下端部が基礎に接合するメインフレームと、
上記壁部近傍において上記基礎に接合し、上記フィールド部側に向かって斜め上方へ立設する第二立設部と、上記第二立設部によって支持された客席と、から構成され、上記スタンド席を構成し、客席を支持すると共に、下端部が基礎に接合するスタンドフレームと、を有するアリーナの工法であって、
上記メインフレームを複数、一定間隔ごとに配設する工程と、
隣り合う上記第一立設部が基礎に接合する箇所の間において、上記スタンドフレームの第二立設部を基礎に接合させ、上記メインフレームが配設されている方向に一列に上記第一立設部と上記第二立設部を基礎に接合させる工程と、を有する、
アリーナの工法。
【発明の詳細な説明】
【技術分野】
【０００１】
本発明は、アリーナ及びアリーナの工法に関する。
【背景技術】
【０００２】
近年、スポーツ観戦、コンサート、展示会など多目的に使うイベント会場として、数千人〜数万人規模の観客を収容できるアリーナが各地に建設されている。アリーナは、バスケットボールなどのスポーツやコンサートが実際に行われるフィールド部と、そのフィールド部を取り囲むように設置された階段状の客席を備えている。
【０００３】
例えば、特許文献１では、空間量可変の多目的つり屋根アリーナの構造が提案されている。特許文献２では、昇降および進退方式のスライドスタンドを持つアリーナが提案されている。特許文献３では、多目的アリーナを備えた建物の天井構造が提案されている。
【先行技術文献】
【特許文献】
【０００４】
【特許文献１】特開平７−３１０４４８号公報
【特許文献２】特開平８−２６０７３６号公報
【特許文献３】特開平９−１１９２２９号公報
【発明の概要】
【発明が解決しようとする課題】
【０００５】
通常、アリーナは、アリーナ全体を支えるメインフレームと、スタンド席の骨組みであるスタンドフレームとは一体的に構成されている。
この点、メインフレームとスタンドフレームを一体的に構成する場合には、メインフレームがスタンドフレームの重量やメインフレームにかかる地震力などの荷重を負担することになるため、メインフレームの断面サイズを大きくする必要があった。しかし、断面サイズを大きくすれば、部材コストの上昇を招くし、サイズの大きいメインフレームを運搬したり設置したりする作業は負担が大きい。一方で、メインフレームとスタンドフレームを分離した場合、それぞれの設置場所を要することになるので、一体的に構成する場合に比して屋内空間を狭めることになりかねない。
【０００６】
そこで、本発明は、メインフレームとスタンドフレームを分離して特定の部材に荷重が集中するのを防ぐと共に、これにより部材の断面サイズを大きくする必要をなくして、部材コストを低減させる。また、メインフレームとスタンドフレームが分離しつつも、屋内空間を狭められることのないアリーナを提供することを目的とする。
【課題を解決するための手段】
【０００７】
上記目的を達成するため、本発明の一の観点に係るアリーナは、フィールド部と、当該フィールド部を囲むスタンド席と、当該フィールド部及び当該スタンド席を側面から覆う壁部と、当該フィールド部及び当該スタンド席の上方を覆う屋根板と、を備えたアリーナであって、上記屋根板を支持し、一対の下端部が基礎に接合するメインフレームと、上記スタンド席を構成し、客席を支持すると共に、下端部が基礎に接合するスタンドフレームと、を有し、上記メインフレームは、上記壁部近傍において上記基礎に接合し、鉛直方向に立設する一対の第一立設部と、上記一対の立設部の上端に架設された架設部と、から構成され、上記スタンドフレームは少なくとも、上記壁部近傍において上記基礎に接合し、上記フィールド部側に向かって斜め上方へ立設する第二立設部と、上記第二立設部によって支持された客席と、から構成され、上記メインフレームは複数、一定間隔ごとに配設されており、隣り合う上記第一立設部が基礎に接合する箇所の間において、上記スタンドフレームの第二立設部が基礎に接合し、上記メインフレームが配設されている方向に一列に上記第一立設部と上記第二立設部が基礎に接合している。
【０００８】
また、上記第二立設部の上端には、上記第二立設部に直行する向きであって、上記複数のメインフレームが配設されている方向に沿って架設された梁が連結しているものとしてもよい。
【０００９】
また、本発明の別の観点に係るアリーナの工法は、フィールド部と、当該フィールド部を囲むスタンド席と、当該フィールド部及び当該スタンド席を側面から覆う壁部と、当該フィールド部及び当該スタンド席の上方を覆う屋根板と、を備えると共に、上記壁部近傍において上記基礎に接合し、鉛直方向に立設する一対の第一立設部と、上記一対の立設部の上端に架設された架設部と、から構成され、上記屋根板を支持し、一対の下端部が基礎に接合するメインフレームと、上記壁部近傍において上記基礎に接合し、上記フィールド部側に向かって斜め上方へ立設する第二立設部と、上記第二立設部によって支持された客席と、から構成され、上記スタンド席を構成し、客席を支持すると共に、下端部が基礎に接合するスタンドフレームと、を有するアリーナの工法であって、上記メインフレームを複数、一定間隔ごとに配設する工程と、隣り合う上記第一立設部が基礎に接合する箇所の間において、上記スタンドフレームの第二立設部を基礎に接合させ、上記メインフレームが配設されている方向に一列に上記第一立設部と上記第二立設部を基礎に接合させる工程と、を有する。
【発明の効果】
【００１０】
本発明に係るアリーナによれば、メインフレームとスタンドフレームが分離していることで荷重の集中を防ぐことができる。これにより、特定の柱などの部材に大きな荷重がかかることがないため、部材の断面サイズを大きくする必要がなく、部材コストの低減にもつながる。また、隣り合う第一立設部が基礎に接合する箇所の間において、スタンドフレームの第二立設部が基礎に接合する結果、第一立設部と第二立設部が近い位置でスペースを無駄にすることなく基礎に立設しており、アリーナの屋内空間を狭めることもない。
【図面の簡単な説明】
【００１１】
【図１】本発明の実施形態に係るアリーナの内部を模式的に示した俯瞰図である。
【図２】本実施形態に係るアリーナのＡ−Ａ矢視図を模式的に示した模式図である。
【図３】本実施形態に係るアリーナを構成するスタンドフレームを模式的に示した模式図である。
【図４】本実施形態に係るアリーナのＢ−Ｂ矢視図を模式的に示した模式図である。
【発明を実施するための形態】
【００１２】
以下、本発明の実施形態に係るアリーナについて説明する。
図１及び図２に示される本実施形態に係るアリーナ１は、競技やコンサートなどを催すことのできる構造物であって、本実施形態では平面視略矩形状からなる。
このアリーナ１は、フィールド部２と、フィールド部２を囲むスタンド席３とを有している。フィールド部２の周囲にはスタンド席３が設けられており、スタンド席３の周囲は壁部Ｗによって覆われている。また、フィールド部２とスタンド席３の上方は屋根板Ｒによって覆われており、天候によらず、競技やコンサートなどを行うことのできる屋内空間を形成している。
なお、本実施形態に係るアリーナ１は、平面視略矩形状から構成されるものとしたが、これに関わらず、平面視略楕円形状など各種の形状を取ることができる。
【００１３】
●フィールド部２
フィールド部２は、各種の競技やコンサートなどが催される場合に、競技者が実演あるいは演者が実演等するスペースであり、本実施形態では、アリーナ１の平面視の形状と同様、略矩形状からなる。このフィールド部２は、スタンド席３よりも低い位置にあって、スタンド席３の観客等から見下ろされる位置にある。
また、フィールド部２には、床スラブ５上に床板２１が敷設されている。
【００１４】
●スタンド席３
スタンド席３は、フィールド部２で行われる競技や実演等を見る観客が座るためのスペース、及び当該スペースに設けられた観客用の客席３３であり、フィールド部２を四方から囲うように設けられている。客席３３は、縦横に複数配設されており、フィールド部２から壁部Ｗに向かっては、階段状に徐々に高い位置をとるように配設されている。これにより、壁部Ｗ側の客席３３に座る観客が、フィールド部２側に座る観客の有無にかかわらず、フィールド部２を見やすいようになっている。
【００１５】
なお、スタンド席３の構築にはプレキャスト工法を用いるのが好適である。即ち、客席３３の架台としてプレキャストコンクリートを用い、枠組みとなるスタンドフレーム３１上に敷設したプレキャストコンクリートを繋ぎ合わせて架台を形成し、この架台上に客席３３を設ける。これにより工期の短縮、コスト削減が可能である。
また、スタンド席３は、アリーナ１の長手方向と短手方向それぞれに沿って計４つ設けられているが、長手方向と短手方向においてその長さを異にする以外、構造は同様である。
【００１６】
●メインフレーム４
メインフレーム４は、アリーナ１の骨格を形成する部材であり、アリーナ１の屋根板Ｒ及び壁部Ｗは、中央部が上方に突出した山形アーチ状の複数のメインフレーム４によって支持されている。
このメインフレーム４は、所謂Ｈ型鋼であり、鉛直方向に立設する一対の立設部４２と、一対の立設部４２の上端に架設された架設部４１とから構成される。
【００１７】
一対の立設部４２の下端部は、壁部Ｗ近傍において基礎５４に接合している。
架設部４１は、中央部が上方へ突出しており、上方に支持された屋根板Ｒは中央から幅方向の両端へ傾斜するようになっている。
【００１８】
このような構成からなるメインフレーム４は、アリーナ１の長手方向に沿って、一定間隔ごとに連続的に配設されている。また、一定間隔ごとに配設された複数のメインフレーム４は、アリーナ１の長手方向に延びる梁４３によって連結されている。このように、アリーナ１は同一形状からなる複数のメインフレーム４を長手方向に順次、配設させた構造を基本としており、メインフレーム４の長さと、連続的に配設するメインフレーム４の数によってアリーナ１の大きさが決定される。
【００１９】
●スタンドフレーム３１
図２及び図３に示されるスタンドフレーム３１は、スタンド席３を構成する部材であって、客席３３を支持しており、略矩形状に設けられたフィールド部２を囲むように設けられている。
このスタンドフレーム３１は、下端部が基礎５１、５２、５３に接合しており、基礎５１、５２、５３上に自立していると共に、固定的に設置されている。また、メインフレーム４や壁部Ｗとは独立して設けられている。
なお、以下の説明においてスタンドフレーム３１の向きに言及する際には、壁部Ｗに対して直角な向きであって、フィールド部２と壁部Ｗを結ぶ方向を梁間方向、当該梁間方向と直交し、壁部Ｗと平行な方向あるいは複数のメインフレーム４が配設されている方向を桁行方向と称することがある。
【００２０】
スタンドフレーム３１は、高さの異なる３種類の略棒状の立設部３１１、３１２、３１３、立設部３１１、３１２、３１３の上端を梁間方向に架設する架設部３１４、３１５、桁行方向に延びる梁３１６、３１７、３１８から構成される。
【００２１】
立設部３１１、３１２、３１３は夫々、基礎５１、５２、５３に接合しており、鉛直方向又は略鉛直方向に立設している。
立設部３１１は、フィールド部２に最も近い位置において、基礎５１から垂直方向上方へ立設し、上端において梁３１６に連結している。
立設部３１２は、立設部３１１と立設部３１３の略中間付近において、基礎５２から垂直方向上方へ立設し、上端において梁３１７に連結する。
立設部３１３は、フィールド部２から最も離れた壁部Ｗ近傍において、基礎５３からフィールド部２側に向かって斜め上方へ立設し上端において梁３１８に連結する。
これらの立設部３１１、３１２、３１３は高さが異なり、フィールド部２から壁部Ｗに向かって高さが低い順に配設されており、これによりフィールド部２から壁部Ｗに向かって、スタンド席３を階段状に設けることができる。
【００２２】
また、立設部３１１と立設部３１２の間、及び立設部３１２と立設部３１３の間には夫々、梁間方向に延びる架設部３１４、３１５が架設されている。
さらに、立設部３１１、３１２、３１３は、桁行方向に沿って、一定間隔ごとに連続的に設けられている。そして、桁行方向に一定間隔ごとに配設された各立設部３１１、３１２、３１３には夫々、その上端部において、桁行方向に延びる梁３１６、３１７、３１８が架設されており、この梁３１６、３１７、３１８によって桁行方向に配設された各立設部３１１、３１２、３１３同士が連結されている。
架設部３１４、３１５、及び梁３１６、３１７、３１８は、立設部３１１、３１２、３１３と共に、客席３３を支持している。
【００２３】
なお、スタンドフレーム３１の立設部３１１、３１２、３１３によって、客席３３は床スラブ５よりも十分に高い位置にあるため、その下方の空間には、トイレや事務室、空調設備等の付帯設備を設けることができる。
【００２４】
●位置関係
ここで、図４を参照して、メインフレーム４の立設部４２とスタンドフレーム３１の位置関係について説明する。
アリーナ１の長手方向において、メインフレーム４の立設部４２は、アリーナ１の壁部Ｗに沿って、一定間隔ごとに配設されている。スタンドフレーム３１の立設部３１３も同様に、アリーナ１の壁部Ｗに沿って、一定間隔ごとに配設されている。その結果、立設部４２と立設部３１３は、桁行方向において交互に基礎５４、５３に接合し、当該接合箇所が桁行方向に一列に並んだ構造となっている。
【００２５】
一方、スタンドフレーム３１の立設部３１３は、隣り合うメインフレーム４の立設部４２の間において、基礎５３に接合している。この点、スタンドフレーム３１の立設部３１３が鉛直方向上方にまっすぐ延びていれば、メインフレーム４の立設部４２がスタンドフレーム３１の梁３１８やスタンド席３を構成する客席３３に干渉することになる。しかしながら、スタンドフレーム３１の立設部３１３は、基礎５３からフィールド部２側に向かって斜め上方へ延び出しており、スタンドフレーム３１の立設部３１３の上端は、水平方向においてメインフレーム４の立設部４２よりもフィールド部２側に位置する。その結果、スタンドフレーム３１の立設部３１３の上端に配設されている梁３１８や、客席３３とメインフレーム４の立設部４２が互いに干渉することがない。
【００２６】
以上の本実施形態に係るアリーナ１によれば、メインフレーム４とスタンドフレーム３１が分離し、互いに独立した構造をとるため、一体的な構造をとる場合と異なり、メインフレーム４の立設部４２などへの荷重の集中を防ぐことができる。これにより、メインフレーム４の立設部４２などの特定の部材に大きな荷重がかかることがないため、立設部４２の断面サイズを大きくする必要がなく、部材コストの低減にもつながる。
また、隣り合う立設部４２が基礎５４に接合する箇所の間において、スタンドフレーム３１の立設部３１３が基礎５３に接合する結果、立設部４２と立設部３１３が近い位置でスペースを無駄にすることなく基礎５４、５３に立設しており、アリーナ１の屋内空間を狭めることもない。
【００２７】
なお、本実施形態に係るアリーナ１においては、スタンドフレーム３１が３種類の立設部３１１、３１２、３１３として構成された支柱によって基礎５１、５２、５３上に立設するものとしたが、これに限らず、壁部Ｗ側においてスタンドフレーム３１の支柱を構成する部材が、基礎５３からフィールド部２に向かって斜め上方へ立設するものであれば、２種類、あるいは４種類以上の複数の支柱がスタンドフレーム３１を構成するものとしてもよい。
【００２８】
また、本実施形態に係るアリーナ１は必要に応じて、既設後にメインフレーム４やスタンドフレーム３１を設け、増築することができる。逆に、必要に応じて、既設後にメインフレーム４やスタンドフレーム３１を取り外し、減築することもできる。
【産業上の利用可能性】
【００２９】
本発明によれば、部材を削減することができるので、資金が比較的少ない事業主体でもアリーナを建設できる。また、数年後に取り壊す前提で構築する期間限定のテーマパークやオリンピック施設としてのアリーナにも本発明を利用することができる。
【符号の説明】
【００３０】
１      アリーナ
２      フィールド部
２１    床板
３      スタンド席
３１    スタンドフレーム
３１１、３１２、３１３  立設部
３１４、３１５          架設部
３１６、３１７、３１８  梁
３３    客席
４      メインフレーム
４１    架設部
４２    立設部
４３    梁
５      床スラブ
５１、５２、５３、５４  基礎
Ｒ      屋根板
Ｗ      壁部
【図１】
2019214839.tif 000003
【図２】
2019214839.tif 000004
【図３】
2019214839.tif 000005
【図４】
2019214839.tif 000006